(57)【要約】      （修正有）【課題】スプリンクラーヘッド付属品をスプリンクラーヘッドに装着するための取付工具であり、取付操作時において天井面に傷が付きにくいスプリンクラーヘッド付属品取付工具を提供する。【解決手段】一端側にスプリンクラーヘッド付属品４０が載置される本体１０と、本体１０の他端側に接続された細長い棒状の把持棒２０と、本体１０の中心軸と平行に移動可能であり、本体１０に複数設置された支持体３０とを備えており、支持体３０は本体１０の一端側の方向に付勢され、スプリンクラーヘッド付属品４０を支持している。【選択図】図２
0003217342.tif 000002
【実用新案登録請求の範囲】
【請求項１】
一端側にスプリンクラーヘッド付属品が載置される本体と、
本体の他端側に接続された細長い棒状の把持棒と、
本体の中心軸と平行に移動可能であり本体上に複数設置された支持体と、を備えており、
支持体は本体の一端側から外部に突出する方向に付勢され、スプリンクラーヘッド付属品を支持していることを特徴とするスプリンクラーヘッド付属品取付工具。
【請求項２】
支持体は、弾発体により付勢されている請求項１記載のスプリンクラーヘッド付属品取付工具。
【請求項３】
支持体は弾発体により構成されている請求項１記載のスプリンクラーヘッド付属品取付工具。
【請求項４】
本体の一端側に金属よりも軟らかい素材のシート部を設置した請求項１〜請求項３何れか１項記載のスプリンクラーヘッド付属品取付工具。
【請求項５】
支持体は本体に穿設された穴の内部に収容されており、本体との係合部を備える請求項１〜請求項４何れか１項記載のスプリンクラーヘッド付属品取付工具。
【考案の詳細な説明】
【技術分野】
【０００１】
本考案は、スプリンクラーヘッドの付属品であるスプリンクラーヘッドカバーやシーリングプレート、エスカッションをスプリンクラーヘッドに取付けるための取付工具に関するものである。
【背景技術】
【０００２】
スプリンクラーヘッドは、建物内の天井面や壁面に設置され、一端には給水源に続いた配管と接続可能なノズルを有し、他端には感熱作動部が設けられている。平時において感熱作動部はノズルを閉止する弁体を支持している。
【０００３】
上記スプリンクラーヘッドの一例として、天井面や壁面に埋め込まれた状態で設置され、スプリンクラーヘッドをスプリンクラーヘッドカバーで覆い隠したコンシールド型スプリンクラーヘッドがある。
【０００４】
図３に示すコンシールド型スプリンクラーヘッドは、スプリンクラーヘッド５０と、該スプリンクラーヘッドに装着するスプリンクラーヘッドカバー５１とを備える。そのスプリンクラーヘッド５０は天井裏に設置されており、平時においてスプリンクラーヘッド５０はスプリンクラーヘッドカバー５１によって覆い隠され、室内からはカバープレート５２しか見えない構造になっている。
【０００５】
上記のスプリンクラーヘッドカバー５１は次のような手順でスプリンクラーヘッド５０に取付けられる。
【０００６】
天井裏の配管Ａにはスプリンクラーヘッド５０が接続されており、スプリンクラーヘッド５０は天井ボード５３に穿設された穴５４から先端部分のみが露出している。該スプリンクラーヘッド５０にスプリンクラーヘッドカバー５１を取付ける。スプリンクラーヘッドカバー５１の筒部５５をスプリンクラーヘッド５０の外部に設置された筒状のサポートカップ５６内に挿通させる。サポートカップ５６の側面には螺旋溝５７が刻設されており、スプリンクラーヘッドカバー５１の筒部５５には螺旋溝５７に係合可能な爪５８が形成されている。爪５８は弾性変形が可能であり、筒部５５を配管Ａ側に移動させると爪５８が弾性変形して螺旋溝５７を乗り越えて筒部５５が配管Ａ側に移動可能である。
【０００７】
筒部５５の下端に形成されたフランジ５９が天井ボード５３の下面に接触するまでスプリンクラーヘッドカバー５１を上方に押し上げて移動させると爪５８が螺旋溝５７に係合され取付けが完了する。
【０００８】
以上のスプリンクラーヘッドカバーの取り付け作業を行う際に、スプリンクラーヘッドカバーの取付工具が用いられる（例えば、特許文献１参照。）。スプリンクラーヘッドカバーを使用することで、作業者が脚立に上がらずにスプリンクラーヘッドカバーの取付作業を行うことができるとともに、スプリンクラーヘッドカバーを直接作業者が持たずに取付工具を使用することでカバープレートに軍手の汚れが付着することを防止できる。
【先行技術文献】
【特許文献】
【０００９】
【特許文献１】特開２００３−３１１６４３号公報
【考案の概要】
【考案が解決しようとする課題】
【００１０】
特許文献１のスプリンクラーヘッド付属品取付工具は、保持具と操作棒を有しており、操作棒の一端側に保持具が設置され、他端側を作業者が手で持って操作する。保持具の周縁に環状壁が設置され、環状壁の先端にはリブが形成されている。そのリブにスプリンクラーヘッド付属品であるシーリングプレートを係合させて操作棒を操作してシーリングプレートを天井に設置されたスプリンクラーヘッドに取付ける。しかしながら、操作棒が長い程、保持具の微細な位置調整が困難となり誤って環状壁の先端部にて天井面を傷付けてしまうおそれがある。
【００１１】
そこで本考案では、上記問題に鑑み、スプリンクラーヘッド付属品をスプリンクラーヘッドに装着するための取付工具であり、取付操作時において天井面に傷が付きにくいスプリンクラーヘッド付属品取付工具を提供することを目的としている。
【課題を解決するための手段】
【００１２】
上記の目的を達成するために、本考案は以下のスプリンクラーヘッド付属品取付工具を提供する。
すなわち、一端側にスプリンクラーヘッド付属品が載置される本体と、本体の他端側に接続された細長い棒状の把持棒と、本体の中心軸と平行に移動可能であり本体上に複数設置された支持体と、を備えており、支持体は本体の一端側から外部に突出する方向に付勢され、スプリンクラーヘッド付属品を支持していることを特徴とするスプリンクラーヘッド付属品取付工具である。
【００１３】
これによれば、本体上に載置されたスプリンクラーヘッド付属品は、支持体により本体上に支持され脱落が防止される。また、支持体は弾発体により本体の一端側から外部に突出する方向、より具体的にはスプリンクラーヘッドが設置されている天井の方向に付勢されており、天井に支持体があたると支持体は把持棒側に移動する。これにより支持体の先端が天井に強く当たった場合にも天井に傷が付きにくくすることができる。また、上記の支持体を弾発体によって構成することもできる。
【考案の効果】
【００１４】
本考案によれば、支持体の先端が天井に当たると把持棒側に移動する。これにより天井面を過大な力で押し付けることがないので、支持体の先端によって天井面に傷が付きにくいスプリンクラーヘッド付属品取付工具を実現できる。
【図面の簡単な説明】
【００１５】
【図１】本考案のスプリンクラーヘッド付属品取付工具の断面図。
【図２】スプリンクラーヘッド付属品をスプリンクラーヘッドに取付する際の断面図。
【図３】スプリンクラーヘッド付属品とスプリンクラーヘッドの断面図。
【考案を実施するための最良の形態】
【００１６】
本考案のスプリンクラーヘッド付属品取付工具Ｔ（以下、取付工具Ｔとする）は、本体１０、把持棒２０、支持体３０から構成される。
【００１７】
本体１０は板状をしており、スプリンクラーヘッド付属品であるスプリンクラーヘッドカバー４０が載置される側の面にはシート１１が設置されている。シート１１はゴムやスポンジ等の金属よりも軟らかい素材から構成されている。これによりスプリンクラーヘッドカバー４の表面に傷が付かないようにしている。
【００１８】
本体１０のシート１１が設置された面と反対側の面には把持棒２０が設置される。把持棒２０は細長い棒状をしており、本体１０に形成された筒部１２に挿通されている。筒部１２には側面を貫くように牝ネジが形成されており、該牝ネジにボルト２１を螺入することでボルト２１の先端が把持棒２０を押圧して筒部１２に固定される。本体１０と把持棒２０との接続構造は上記に説明したものに限らず、例えば筒部１２と把持棒２０とを接着剤により固定することや、ボルト２１を木ネジにしてネジの先端が把持棒２０の側面に突き刺さった状態で固定させてもよい。把持棒２０の中心軸と本体１０の中心軸は同一直線Ｌ上に配置されている。
【００１９】
本体１０の周縁には複数の穴１３が穿設されている。穴１３は本体１０の周縁部に等間隔で設置され、穴１３のシート１１側の内径が大径となっており、把持棒２０側は小径となっている。穴１３の大径側には支持体３０が設置される。また、穴１３はシート１１の縁よりも外側に設置されている。さらに、穴１３が形成されている面はシート１１が設置されている面と筒部１２の間に設置されている。
【００２０】
本実施形態において支持体３０は６本設置されている。支持体３０の本数は３〜８本にしてもよい。例えば支持体３０を４本または８本にすると、カバープレートの形状が矩形をしたスプリンクラーヘッドカバーをシート１１に載置させた場合、カバープレートの角がシート１１からはみ出して載置させることができる。
【００２１】
それぞれの支持体３０は本体１０の中心軸Ｌと平行な方向（図中上下方向）に移動可能である。これにより、天井面に意匠的な凹凸やうねりがあった場合にも各支持体３０の先端が天井面に沿って下方へ移動し、天井面に傷が付きにくくしている。
【００２２】
支持体３０の上端は丸みを帯びており、天井面に傷が付きにくい形状にしている。支持体３０の中間には段３１が形成され、中間より下側は細径部３２となっている。細径部３２の下端は穴１３の小径部に挿通され本体１０の外部に突出している。細径部３２の下端には牡ネジ３３が螺刻されており、牡ネジ３３には支持体３０が移動により穴１３から抜けるのを防止するための係合部としてナット３４が螺合されている。ナット３４は接着剤等で固定してもよい。
【００２３】
穴１３内部の小径側の端面と段３１の間には弾発体としてコイルバネ３５が設けられている。コイルバネ３５の作用によって支持体３０は図中上方に付勢されている。支持体３０の先端を本体１０側に押圧するとコイルバネ３５が収縮して支持体３０は図中下方に移動する。
【００２４】
続いて本考案の取付工具Ｔを用いたスプリンクラーヘッド付属品の取付手順を説明する。
【００２５】
スプリンクラーヘッド付属品はスプリンクラーヘッドカバー４０であり、下端に円盤状のカバープレート４１が設置され、その上方に配置された筒部４２と接続されている。筒部４２は天井裏に設置されたスプリンクラーヘッド４５のサポートカップ４６に挿通される。筒部４２の下端にはフランジ４３が形成されている。
【００２６】
先ず、スプリンクラーヘッドカバー４０を取付工具Ｔにセットする。スプリンクラーヘッドカバー４０のカバープレート４１を本体１０のシート１１の上に載置する。カバープレート４１の周囲には支持体３０が立設されており、スプリンクラーヘッドカバー４０は支持体３０の内側に収容される。
【００２７】
次に把持棒２０を操作して本体１０をスプリンクラーヘッド４５に近付ける。支持体３０によりスプリンクラーヘッドカバー４０は取付工具Ｔからの脱落が防止される。本体１０の上に載置されたスプリンクラーヘッドカバー４０の筒部４２の中心軸とスプリンクラーヘッド４５の中心軸が同軸となるように本体１０の位置を調整する。このとき、支持体３０の間から本体１０の上に載置されたスプリンクラーヘッドカバー４０の状態を目視確認しながら位置調整を行う。
【００２８】
位置調整の後、本体１０を天井Ｃの方向へ移動させ、筒部４２をサポートカップ４６の内部に挿通させる。すると筒部４２の外周に形成された爪４２Ａがサポートカップ４６の側面に形成された螺旋溝４７と係合する。さらに本体１０を移動させると、支持体３０の先端が天井面Ｃに接触する。
【００２９】
フランジ４３が天井Ｃの下面に接触するまでスプリンクラーヘッドカバー４０を移動させる。このとき支持体３０は図２に示すように先端が天井Ｃに接触した状態となり、図１の状態と比較して下方に移動している。最後に取付工具Ｔを下方に移動させて取付作業を完了する。支持体３０の先端が天井Ｃから離れると支持体３０はコイルバネ３５の作用によって元の位置に戻る。
【００３０】
スプリンクラーヘッド付属品の取付作業において特に把持棒２０が長い程、本体１０の微細な位置調整が困難となり、誤って天井Ｃに接触するおそれがある。しかしながら取付工具Ｔを用いれば、誤って天井Ｃに接触した際に天井Ｃへ傷を付きにくくすることができる。
【符号の説明】
【００３１】
Ｔ  取付工具  
１０  本体  
１１  シート  
１２  筒部  
１３  穴  
２０  把持棒  
３０  支持体  
３４  ナット（係合部）  
３５  コイルバネ（弾発体）  
４０  スプリンクラーヘッドカバー（スプリンクラーヘッド付属品）  
４５  スプリンクラーヘッド  
【図１】
0003217342.tif 000003
【図２】
0003217342.tif 000004
【図３】
0003217342.tif 000005